(57)【要約】【課題】傾斜ピンを傾斜方向に長期に亘って滑らかに移動させることができ、局部的な摩耗を減少させてスライドコアの所定位置への案内移動を正確に行うことのできるスライドコアガイド装置及びそれを用いた射出成型金型機構を提供すること。【解決手段】スライドコアガイド装置１は、エジェクタ板２の移動方向Ａに対して傾斜して受板３の挿通孔４を貫通していると共に一端部５でスライドコア６を保持している傾斜ピン７と、傾斜ピン７の他端部８を保持していると共に、エジェクタ板２の移動に基づいて傾斜ピン７をエジェクタ板２の移動方向Ａに対して傾斜する傾斜方向Ｃに案内移動させる案内移動手段９と、傾斜ピン７の他端部８側に配されて受板３に固定されていると共に、傾斜ピン７を摺動自在に且つ揺動自在に支持するピン支持体１０とを具備している。【選択図】      図１
2004330443.tif 000002
【特許請求の範囲】
【請求項１】
エジェクタ板の移動方向に対して傾斜して受板の挿通孔を貫通していると共に一端部でスライドコアを保持している傾斜ピンと、傾斜ピンの他端部を保持していると共に、エジェクタ板の移動に基づいて傾斜ピンをエジェクタ板の移動方向に対して傾斜する方向に案内移動させる案内移動手段と、傾斜ピンの他端部側に配されて受板に固定されると共に、傾斜ピンを摺動自在に且つ揺動自在に支持するピン支持体とを具備しており、ピン支持体は、傾斜ピンが配される貫通孔及び凸球面状外面を有している支持部材と、この支持部材の凸球面状外面に摺接する凹球面状内面を有しているハウジングとを具備しているスライドコアガイド装置。
【請求項２】
ピン支持体のハウジングは、傾斜ピンと平行となるように配される請求項１に記載のスライドコアガイド装置。
【請求項３】
案内移動手段は、傾斜ピンと平行となるように傾斜した案内ロッドと、傾斜ピンが案内ロッドにより傾斜方向に案内されるように案内ロッド及び傾斜ピンを連結している連結手段とを具備している請求項１又は２に記載のスライドコアガイド装置。
【請求項４】
連結手段は、互いに対向した一対の案内溝を有していると共に、エジェクタ板に固着されるベースと、このベースの各案内溝にエジェクタ板の移動方向に対して交差する方向に摺動自在に配されているスライド板と、このスライド板に軸を介して回転自在に支持された一対のホルダーとを具備しており、一方のホルダーは、傾斜ピンの他端部を保持する保持部を有しており、他方のホルダーは、案内ロッドが移動自在に挿通される挿通孔を有している請求項３に記載のスライドコアガイド装置。
【請求項５】
一方のホルダーは、傾斜ピンの他端部を保持する保持部が設けられていると共に凸球面状外面を有している支持部材と、この支持部材の凸球面状外面に摺接する凹球面状内面を有していると共にスライド板に固着されているハウジングとを具備している請求項４に記載のスライドコアガイド装置。
【請求項６】
他方のホルダーは、案内ロッドが挿通される挿通孔が設けられていると共に凸球面状外面を有している支持部材と、この支持部材の凸球面状外面に摺接する凹球面状内面を有していると共にスライド板に固着されているハウジングとを具備している請求項４又は５に記載のスライドコアガイド装置。
【請求項７】
連結手段は、互いに対向した一対の案内溝を有していると共に、エジェクタ板に固着されるベースと、このベースの各案内溝にエジェクタ板の移動方向に対して交差する方向に摺動自在に配されているスライド板と、このスライド板に軸を介して回転自在に支持されたホルダーとを具備しており、ホルダーは、傾斜ピンの他端部を保持する保持部及び案内ロッドが移動自在に挿通される挿通孔を有している請求項３に記載のスライドコアガイド装置。
【請求項８】
案内ロッドが挿通される挿通孔にはブッシュが嵌着されており、ブッシュは、挿通孔及び案内ロッド間に介在されている請求項４から７のいずれか一項に記載のスライドコアガイド装置。
【請求項９】
案内移動手段は、案内ロッドの両端を夫々保持する一対の保持体を具備しており、一対の保持体のうちの少なくとも一方は、案内ロッドを保持する保持部が設けられていると共に凸球面状外面を有している支持部材及びこの支持部材の凸球面状外面に摺接する凹球面状内面を有しているハウジングを具備している球面軸受からなる請求項３から８のいずれか一項に記載のスライドコアガイド装置。
【請求項１０】
請求項１から９のいずれか一項に記載のスライドコアガイド装置と、固定の基台と、この基台に対して間隔をもって配された固定の受板と、基台と受板との間に可動に配されたエジェクタ板と、傾斜ピンの一端部に保持されたスライドコアとを具備している射出成形金型機構。
【発明の詳細な説明】
【０００１】
【発明の属する技術分野】
本発明は、射出成形金型機構によるアンダーカット処理において、スライドコアを、エジェクタ板の移動方向に対して傾斜していると共に受板を貫通している傾斜ピンを用いて案内移動するスライドコアガイド装置及びそれを用いた射出成形金型機構に関する。
【０００２】
【従来の技術】
特許文献１に記載のスライドコアガイド装置は、エジェクタ板の移動方向に交差する方向に移動自在に当該エジェクタ板に支持されたピンホルダーに一端部で保持されていると共に他端部でスライドコアを保持しており、エジェクタ板及びスライドコア間に介在する受板の挿通孔に摺動自在に挿通されている傾斜ピンを具備しており、エジェクタ板の移動に基づき傾斜ピンをエジェクタ板の移動方向に対して傾斜した傾斜方向に移動させることで、スライドコアを所定位置まで案内移動させるようになっている。
【０００３】
【特許文献１】
特開平８−５２７７１号公報
【０００４】
【発明が解決しようとする課題】
ところで、斯かるスライドコアガイド装置では、エジェクタ板の移動に基づいて傾斜ピンを傾斜方向に移動させるために、傾斜ピンに当該傾斜ピンが貫通した固定の受板を支点とした曲げモーメントが生じることとなる。この曲げモーメントは、傾斜ピンから固定の受板への局部的な押圧力となり、傾斜ピンの傾斜方向の移動に対して大きな抵抗力を発生させることになり、この抵抗力により傾斜ピンの傾斜方向の移動を滑らかに行い得なくなる上に、上記の局部的な押圧力により受板又は傾斜ピンに摩耗が生じたり、曲げモーメントにより傾斜ピンに折損が生じて、早期の部品交換を必要とする虞がある。
【０００５】
また、固定の受板に対する傾斜ピンの傾斜方向の移動を滑らかに行わせるために、通常、受板の挿通孔において当該受板と傾斜ピンとの間にはブッシュ等の滑り部材が介在されるのであるが、上記のような曲げモーメントに起因する局部的な押圧力が滑り部材に繰り返し付与されると、滑り部材の局部的な摩耗が生じることから、滑り部材と傾斜ピンとの隙間が大きくなり、スライドコアを所定位置に案内移動させることが困難となり、滑り部材の早期の交換を必要とする虞がある。
【０００６】
本発明は、前記諸点に鑑みてなされたものであり、その目的とするところは、傾斜ピンを傾斜方向に長期に亘って滑らかに移動させることができ、局部的な摩耗を減少させてスライドコアの所定位置への案内移動を正確に行うことのできるスライドコアガイド装置及びそれを用いた射出成型金型機構を提供することにある。
【０００７】
【課題を解決するための手段】
本発明の第一の態様のスライドコアガイド装置は、エジェクタ板の移動方向に対して傾斜して受板の挿通孔を貫通していると共に一端部でスライドコアを保持している傾斜ピンと、傾斜ピンの他端部を保持していると共に、エジェクタ板の移動に基づいて傾斜ピンをエジェクタ板の移動方向に対して傾斜する方向に案内移動させる案内移動手段と、傾斜ピンの他端部側に配されて受板に固定されると共に、傾斜ピンを摺動自在に且つ揺動自在に支持するピン支持体とを具備しており、ここで、ピン支持体は、傾斜ピンが配される貫通孔及び凸球面状外面を有している支持部材と、この支持部材の凸球面状外面に摺接する凹球面状内面を有しているハウジングとを具備している。
【０００８】
第一の態様のスライドコアガイド装置によれば、上述の構成を具備しているために、ピン支持体の支持部材のハウジングに対する微少回転により傾斜ピンからの局部的な押圧力を減少させることで、傾斜ピンを傾斜方向に長期に亘って滑らかに移動させることができ、局部的な摩耗を減少させてスライドコアの所定位置への案内移動を正確に行うことができる。
【０００９】
本発明の第二の態様のスライドコアガイド装置では、第一の態様のスライドコアガイド装置において、ピン支持体のハウジングは、傾斜ピンと平行となるように配される。
【００１０】
本発明の第三の態様のスライドコアガイド装置では、第一又は第二の態様のスライドコアガイド装置において、案内移動手段は、傾斜ピンと平行となるように傾斜した案内ロッドと、傾斜ピンが案内ロッドにより傾斜方向に案内されるように案内ロッド及び傾斜ピンを連結している連結手段とを具備している。
【００１１】
本発明の第四の態様のスライドコアガイド装置では、第三の態様のスライドコアガイド装置において、連結手段は、互いに対向した一対の案内溝を有していると共に、エジェクタ板に固着されるベースと、このベースの各案内溝にエジェクタ板の移動方向に対して交差する方向に摺動自在に配されているスライド板と、このスライド板に軸を介して回転自在に支持された一対のホルダーとを具備しており、一方のホルダーは、傾斜ピンの他端部を保持する保持部を有しており、他方のホルダーは、案内ロッドが摺動自在に挿通される挿通孔を有している。
【００１２】
本発明の第五の態様のスライドコアガイド装置では、第四の態様のスライドコアガイド装置において、一方のホルダーは、傾斜ピンの他端部を保持する保持部が設けられていると共に凸球面状外面を有している支持部材と、この支持部材の凸球面状外面に摺接する凹球面状内面を有していると共にスライド板に固着されているハウジングとを具備している。
【００１３】
本発明の第六の態様のスライドコアガイド装置では、第四又は第五の態様のスライドコアガイド装置において、他方のホルダーは、案内ロッドが挿通される挿通孔が設けられていると共に凸球面状外面を有している支持部材と、この支持部材の凸球面状外面に摺接する凹球面状内面を有していると共にスライド板に固着されているハウジングとを具備している。
【００１４】
本発明の第七の態様のスライドコアガイド装置では、第三の態様のスライドコアガイド装置において、連結手段は、互いに対向した一対の案内溝を有していると共に、エジェクタ板に固着されるベースと、このベースの各案内溝にエジェクタ板の移動方向に対して交差する方向に摺動自在に配されているスライド板と、このスライド板に軸を介して回転自在に支持されたホルダーとを具備しており、ホルダーは、傾斜ピンの他端部を保持する保持部及び案内ロッドを摺動自在に挿通させる挿通孔を有している。
【００１５】
本発明の第八の態様のスライドコアガイド装置では、第四から第七のいずれかの態様のスライドコアガイド装置において、案内ロッドが挿通される挿通孔にはブッシュが嵌着されており、ブッシュは、挿通孔及び案内ロッド間に介在されている。
【００１６】
本発明の第九の態様のスライドコアガイド装置では、第三から第八のいずれかの態様のスライドコアガイド装置において、案内移動手段は、案内ロッドの両端を夫々保持する一対の保持体を具備しており、一対の保持体のうちの少なくとも一方は、案内ロッドを保持する保持部が設けられていると共に凸球面状外面を有している支持部材及びこの支持部材の凸球面状外面に摺接する凹球面状内面を有しているハウジングを具備している球面軸受からなる。
【００１７】
本発明の射出成形金型機構は、第一から第九のいずれかの態様のスライドコアガイド装置と、固定の基台と、この基台に対して間隔をもって配された固定の受板と、基台と受板との間に可動に配されたエジェクタ板と、傾斜ピンの一端部に保持されたスライドコアとを具備している。
【００１８】
次に、本発明の実施の形態の例を、図に示す好ましい例に基づいて更に詳細に説明する。尚、本発明はこれら例に何等限定されないのである。
【００１９】
【発明の実施の形態】
図１から図５において、本例のスライドコアガイド装置１は、エジェクタ板２の移動方向Ａに対して傾斜して受板３の挿通孔４を貫通していると共に一端部５でスライドコア６を保持している傾斜ピン７と、傾斜ピン７の他端部８を保持していると共に、エジェクタ板２の移動に基づいて傾斜ピン７をエジェクタ板２の移動方向Ａに対して傾斜する傾斜方向Ｃに案内移動させる案内移動手段９と、傾斜ピン７の他端部８側に配されて受板３に固定されていると共に、傾斜ピン７を摺動自在に且つ揺動自在に支持するピン支持体１０とを具備している。
【００２０】
傾斜ピン７は、他端部８がホルダー３６の凹所からなる保持部４２に嵌め込まれてホルダー３６に保持されている。傾斜ピン７の他端部８にはボルト４１が螺合されており、ボルト４１は、他端部８が保持部４２から抜け出さないようにしている。
【００２１】
案内移動手段９は、傾斜ピン７と平行となるように傾斜方向Ｃに伸びて傾斜していると共に受板３及び基台１３に固定された案内ロッド１６と、受板３に固定されていると共に案内ロッド１６の一端１７を保持する保持体１８と、基台１３に固定されていると共に案内ロッド１６の他端１９を保持する保持体２０と、エジェクタ板２に設けられると共に、傾斜ピン７が案内ロッド１６により案内されるように案内ロッド１６及び傾斜ピン７を連結している連結手段２１とを具備している。
【００２２】
保持体１８は、本例では、案内ロッド１６の一端１７に係合するピンからなり、当該ピンは受板３に固定されている。保持体２０は、本例では、案内ロッド１６の他端１９に係合するピンからなり、当該ピンは、基台１３に固定されている。
【００２３】
連結手段２１は、互いに対向した一対の案内溝２２及び２３を有していると共に、エジェクタ板２に固着されるベース２４と、ベース２４の案内溝２２にエジェクタ板２の移動方向Ａに対して交差、本例では直交する方向Ｂに摺動自在に配されていると共に軸受孔２５及び２６を有したスライド板２７と、ベース２４の案内溝２３に方向Ｂに摺動自在に配されていると共に軸受孔２８及び２９を有したスライド板３０と、スライド板２７の軸受孔２５に挿入されている軸３１及びスライド板３０の軸受孔２８に挿入されている軸３２が固着されていると共に、軸３１及び３２を介してスライド板２７及び３０にＲ方向に回転自在に支持されたホルダー３３と、スライド板２７の軸受孔２６に挿入されている軸３４及びスライド板３０の軸受孔２９に挿入されている軸３５が固着されていると共に、軸３４及び３５を介してスライド板２７及び３０にＲ方向に回転自在に支持されたホルダー３６とを具備している。
【００２４】
ベース２４は、夫々断面コ字形状を有して、互いに対向して配された一対のベース部材４５及び４６を具備しており、一対のベース部材４５及び４６の対向内側面４７及び４８の夫々に、案内溝２２及び２３が形成されている。
【００２５】
ベース部材４５及び４６の夫々は、当該ベース部材４５及び４６をエジェクタ板２に固定するためのボルト４９を挿通するための複数の挿通孔５０を有している。ベース部材４５及び４６の夫々には、挿通孔５０を間にして位置決め用の挿通孔（図示せず）が複数個形成されている。
【００２６】
スライド板２７及び３０の夫々は、矩形状又は短冊形状を有しており、スライド板２７及び３０の夫々において、ベース部材４５及び４６並びにホルダー３３及び３６に対面する夫々の面には、これらとの間で滑らかな摺動を得るために、円形の固体潤滑体（図示せず）が複数個分散して且つ露出して埋め込まれている。尚、上記固体潤滑体を埋め込む代わりに、鋼鈑と焼結層とを有した複層の摺動部材でもってスライド板２７及び３０を形成して、ベース部材４５及び４６並びにホルダー３３及び３６に対面する側に焼結層が配されるようにして斯かるスライド板２７及び３０を用いてもよい。
【００２７】
軸３１及び３２の夫々は、ホルダー３３が案内ロッド１６を中心としてスライド板２７及び３０に対してＲ方向に回転自在となるように、より具体的には、その軸心Ｘ２が案内ロッド１６の軸心Ｘ１と実質的に直交するようにほぼ直方体形状を有したホルダー３３の両側面５２及び５３の夫々に一体的に固着されている。
【００２８】
軸３４及び３５の夫々は、ホルダー３６が傾斜ピン７の他端部８を中心としてスライド板２７及び３０に対してＲ方向に回転自在となるように、より具体的には、その軸心Ｘ４が傾斜ピン７の軸心Ｘ３と実質的に直交するようにほぼ直方体形状を有したホルダー３６の両側面５４及び５５の夫々に一体的に固着されている。
【００２９】
尚、軸３１、３２、３４及び３５の夫々を、ホルダー３３及び３６の夫々に固着する代わりに、スライド板２７及び３０の夫々に一体的に固着してもよく、この場合には、軸受孔２５及び２８をホルダー３３の両側面５２及び５３に、軸受孔２６及び２９をホルダー３６の両側面５４及び５５に夫々設ける。
【００３０】
エジェクタ板２に対して方向Ｂに直動自在に且つスライド板２７及び３０に対してＲ方向に回転自在にエジェクタ板２に装着されたホルダー３６は、傾斜ピン７の他端部８を保持するべく、傾斜ピン７の他端部８を受容する保持部４２を有しており、保持部４２は本例では凹所からなる。
【００３１】
保持部４２に挿入された傾斜ピン７は、その他端部８の切欠きで当該他端部８に係合していると共にホルダー３６に固定されたキー部材５６によりその軸心Ｘ３を中心として回転しないようにされる。
【００３２】
エジェクタ板２に対して方向Ｂに直動自在に且つスライド板２７及び３０に対してＲ方向に回転自在にエジェクタ板２に装着されたホルダー３３は、エジェクタ板２のＡ方向の移動において、傾斜ピン７と平行となるように傾斜されて配される案内ロッド１６により当該傾斜ピン７の傾斜方向Ｃと平行な方向に案内移動されるべく、案内ロッド１６を摺動自在に挿通させる挿通孔５７を有している。
【００３３】
ホルダー３３には挿通孔５７においてブッシュ５８が嵌着されており、案内ロッド１６は、ブッシュ５８に傾斜ピン７の傾斜方向Ｃと平行な方向に摺動自在となって、当該ブッシュ５８を介在させて挿通孔５７に挿通されるようになっている。
【００３４】
ピン支持体１０は、傾斜ピン７が配される貫通孔６１及び凸球面状外面６２を有している支持部材６３と、凸球面状外面６２に摺接する凹球面状内面６４を有しているハウジング６５とを具備している。
【００３５】
合成樹脂製の支持部材６３は、ハウジング６５に対して軸心Ｘ３上に位置する回転中心Ｏを中心として回転自在となっている。
【００３６】
合成樹脂製のハウジング６５は、受板３の挿通孔４よりも傾斜ピン７の他端部８側でボルト６６を介して受板３に固定されている。ハウジング６５は、凹球面状内面６４で凸球面状外面６２に摺接することにより支持部材６３を回転自在に保持している。
【００３７】
尚、ハウジング６５は、例えば、図７に示すように、傾斜方向Ｃに傾斜させて受板３に固定させてもよく、このようにハウジング６５を傾斜ピン７と共に傾斜させることにより支持部材６３の回転可能範囲を広く確保することができる。
【００３８】
以上のピン支持体１０は、エジェクタ板２の移動方向Ａの移動に基づいて傾斜ピン７に曲げモーメントが生じた場合には、当該曲げモーメントに基づいて押圧される支持部材６３がハウジング６５に対して回転中心Ｏを中心として微少回転するようになっており、この微少回転により傾斜ピン７から支持部材６３に与えられる局部的な押圧力を減少させるようになっている。
【００３９】
斯かるスライドコアガイド装置１は、図１及び図６に示すように、射出成形金型機構７１によるアンダーカット処理において、スライドコア６の移動を案内するために用いられる。
【００４０】
射出成形金型機構７１は、本例ではアンダーカット部７２をもった製品７３を成形するようになっており、傾斜ピン７は、エジェクタ板２の移動方向Ａに対して傾斜して且つガイドブッシュ７４を介して摺動自在に受板３を貫通して配されている。
【００４１】
アンダーカット部７２をもった製品７３の成形後の脱型に際して、図１に示す状態から、可動側の型板７５をＡ方向に移動させると共に、これと同期してエジェクタ板２を同方向に移動させることにより、連結手段２１がＡ方向に移動し、傾斜ピン７がガイドブッシュ７４を介して受板３に対して滑動して、スライドコア６を受板３から離反させる。この離反において、図６に示すように、傾斜ピン７の他端部８がＢ方向に移動して、スライドコア６をアンダーカット部７２から離反させ製品７３を取り出し可能とする。スライドコアガイド装置１は、傾斜ピン７の他端部８のＢ方向の移動の際、傾斜ピン７の他端部８のエジェクタ板２に対するＢ方向の移動を、ホルダー３６のスライド板２７及び３０を介する案内溝２２及び２３に沿うＢ方向の移動で案内する。
【００４２】
以上のスライドコアガイド装置１によれば、傾斜ピン７が配される貫通孔６１及び凸球面状外面６２を有している支持部材６３と、凸球面状外面６２に摺接する凹球面状内面６４を有しているハウジング６５とを具備しているピン支持体１０が受板３の挿通孔４よりも傾斜ピン７の他端部８側に配されて当該受板３に固定されるために、エジェクタ板２の移動方向Ａの移動に基づいて傾斜ピン７に曲げモーメントが生じた場合には、当該曲げモーメントに基づいて押圧される支持部材６３がハウジング６５に対して微少回転して、当該微少回転により傾斜ピン７から支持部材６３に与えられる局部的な押圧力を減少させることでき、而して、傾斜ピン７を傾斜方向Ｃに長期に亘って滑らかに移動させることができ、局部的な摩耗を減少させてスライドコア６の所定位置への案内移動を正確に行うことができる。
【００４３】
尚、連結手段２１は、図８に示すように、ホルダー３３に代えて、スライド板２７及び３０に固着されたハウジング６５及びハウジング６５に回転自在に支持されていると共に貫通孔６１に案内ロッド１６が摺動自在に配されている支持部材６３を有するホルダー８１を具備していてもよく、また、ホルダー３６に代えて、スライド板２７及び３０に固着されたハウジング６５及びハウジング６５に回転自在に支持されていると共に貫通孔６１に代えて傾斜ピン７の他端部８を保持する保持部４２が形成された支持部材６３を有するホルダー８２を具備していてもよい。
【００４４】
またスライドコアガイド装置１では、保持体１８及び２０をピンで具体化する代わりに、例えば図９に示すように、ピン支持体１０と同等の球面軸受で夫々具体化してもよく、凸球面状外面６２を有している支持部材６３及び凹球面状内面６４を有しているハウジング６５を具備している斯かる球面軸受は、夫々の支持部材６３の保持部４２により案内ロッド１６の一端１７及び他端１９を夫々揺動自在に保持するようになっている。
【００４５】
更に、連結手段２１は、図１０に示すように、ホルダー３３及び３６に代えて、スライド板２７及び３０の軸受孔２６及び２９に挿入されている軸３４及び３５が固着されていると共に、軸３４及び３５を介してスライド板２７及び３０にＲ方向に回転自在に支持されたホルダー９１を具備していてもよく、斯かるホルダー９１は、傾斜ピン７の他端部８を保持する保持部４２と、案内ロッド１６により当該傾斜ピン７の傾斜方向Ｃと平行な方向に案内移動されるべく、案内ロッド１６を摺動自在に挿通させるブッシュ５８が嵌着された挿通孔５７とを有している。図１０に示すような連結手段２１を有するスライドコアガイド装置１によれば、ホルダー９１が、傾斜ピン７の他端部８を保持部４２で保持するようになっており、且つ、案内ロッド１６を摺動自在に挿通させる挿通孔５７を有しているので、射出成形金型機構７１のように、エジェクタ板２の移動方向Ａに対して傾斜して受板３を貫通している傾斜ピン７の他端部８を保持部４２に保持し、一端１７が基台１３に、他端１９が受板３に夫々保持された案内ロッド１６をホルダー９１の挿通孔５７に通させることにより、エジェクタ板２のＡ方向の移動において、エジェクタ板２の移動方向Ａの力を、スライド板２７及び３０並びに軸３４及び３５を介してホルダー９１に伝達できる上に、エジェクタ板２の移動方向Ａに対して交差する方向Ｂの力を、案内ロッド１６によるホルダー９１の案内移動で当該ホルダー９１に生じさせることができる結果、これらの合力でもって傾斜ピン７の他端部８を押し上げるように又は引き下げるように移動させることができ、而して、エジェクタ板２の移動において、ピン支持体１０の支持部材６３を支点とする傾斜ピン７の曲げモーメントを減少させて当該傾斜ピン７を傾斜方向Ｃに移動させることができる結果、ガイドブッシュ７４に局部的な摩耗を生じさせないで長期に亘って滑らかに傾斜ピン７を傾斜方向Ｃに移動させることができる上に、傾斜ピン７の折損事故等をなくし得る。また、スライドコアガイド装置１では、案内ロッド１６を支持しているホルダー９１には、挿通孔５７においてブッシュ５８が嵌着されており、案内ロッド１６は、ブッシュ５８を介して挿通孔５７を貫通するようになっているために、案内ロッド１６によるホルダー９１の案内移動を極めて滑らかに行うことができ、エジェクタ板２の移動方向Ａに対して交差する方向Ｂの力をホルダー９１に効果的に生じさせることができ、しかも、ホルダー９１が傾斜ピン７の他端部８を中心としてスライド板２７及び３０に対して回転自在となるように、より具体的には、軸３４及び３５の軸心Ｘ４が傾斜ピン７の軸心Ｘ３と実質的に直交するように、軸３４及び３５がホルダー９１に固着されているために、ホルダー９１の回転を生じさせないで傾斜ピン７の他端部８からの反力を軸３４及び３５で受容できるために、滑らかな傾斜ピン７の移動を確保できる。
【００４６】
加えて、本例のスライドコアガイド装置１は、傾斜ピン７に対する案内ロッド１６の配置を図１１に示すように変更してもよく、また、斯かるスライドコアガイド装置１においても、ホルダー３３及び３６に代えて、ホルダー９１を具備していてもよい。
【００４７】
尚、上記の例では、スライド板２７及び３０をエジェクタ板２の移動方向Ａに対して直交する方向Ｂに摺動自在にしたが、本発明はこれに限定されず、エジェクタ板２の移動方向Ａに対して直交する方向Ｂ以外の斜め方向に摺動自在にしてもよい。
【００４８】
【発明の効果】
本発明によれば、傾斜ピンを傾斜方向に長期に亘って滑らかに移動させることができ、局部的な摩耗を減少させてスライドコアの所定位置への案内移動を正確に行うことのできるスライドコアガイド装置及びそれを用いた射出成型金型機構を提供し得る。
【図面の簡単な説明】
【図１】本発明の実施の形態の例の断面説明図である。
【図２】図１に示す例の主にピン支持体の説明図である。
【図３】図１に示す例の主にピン支持体の平面説明図である。
【図４】図１に示す例の主に連結手段の案内ロッド側における断面説明図である。
【図５】図１に示す例の主に連結手段の傾斜ピン側における断面説明図である。
【図６】図１に示す例の動作説明図である。
【図７】本発明の実施の形態の他の例の断面説明図である。
【図８】本発明の実施の形態の他の例の断面説明図である。
【図９】本発明の実施の形態の他の例の断面説明図である。
【図１０】本発明の実施の形態の他の例の断面説明図である。
【図１１】本発明の実施の形態の他の例の断面説明図である。
【符号の説明】
１  スライドコアガイド装置
２  エジェクタ板
３  受板
４  挿通孔
５  一端部
６  スライドコア
７  傾斜ピン
８  他端部
９  案内移動手段
１０  ピン支持体
６１  貫通孔
６２  凸球面状外面
６３  支持部材
６４  凹球面状内面
６５  ハウジング
【図１】
2004330443.tif 000003
【図２】
2004330443.tif 000004
【図３】
2004330443.tif 000005
【図４】
2004330443.tif 000006
【図５】
2004330443.tif 000007
【図６】
2004330443.tif 000008
【図７】
2004330443.tif 000009
【図８】
2004330443.tif 000010
【図９】
2004330443.tif 000011
【図１０】
2004330443.tif 000012
【図１１】
2004330443.tif 000013